(57)【要約】  【課題】色再現範囲に優れていると共に消費電力も抑制され、かつ、色バランスの制御も容易な発光ダイオードを提供する。  【解決手段】４００ｎｍ〜４８０ｎｍの主波長を有する青色ＬＥＤチップ１４と、青色ＬＥＤチップ１４からの光の少なくとも一部を吸収し５２０ｎｍ〜５６０ｎｍの主波長を有する光に変換して発光する蛍光体２０と、６００ｎｍ〜７００ｎｍの主波長を有する赤色ＬＥＤチップ１５とを備え、青色ＬＥＤチップ１４からの光と、蛍光体２０からの光と、赤色ＬＥＤチップ１５とからの３色光を混色させて白色発光させる。  【選択図】図１
2005317873.tif 000002
【特許請求の範囲】
【請求項１】
第１の主波長を有する光を発光する第１のＬＥＤチップと、前記第１のＬＥＤチップからの光の少なくとも一部を吸収し第２の主波長を有する光に変換して発光する蛍光体と、第３の主波長を有する光を発光する第２のＬＥＤチップとを備え、
前記第１のＬＥＤチップからの光と、前記蛍光体からの光と、前記第２のＬＥＤチップからの光との３種の光を混色させて発光することを特徴とする発光ダイオード。
【請求項２】
前記第１のＬＥＤチップは青色ＬＥＤチップとし、前記蛍光体は青色光を吸収して緑色に発光するものとし、前記第２のＬＥＤチップは赤色ＬＥＤチップとしている請求項１に記載の発光ダイオード。
【請求項３】
前記第１の主波長は４００ｎｍ〜４８０ｎｍの範囲内で、前記第２の主波長は５２０ｎｍ〜５６０ｎｍの範囲内で、前記第３の主波長は６００ｎｍ〜７００ｎｍの範囲内としている請求項１または請求項２に記載の発光ダイオード。
【請求項４】
前記蛍光体から発光する光は、前記第２の主波長に対して発光波長の半値幅が±４０ｎｍの範囲内としている請求項１乃至請求項３のいずれか１項に記載の発光ダイオード。
【請求項５】
前記蛍光体は、主材料となるＺｎＳにＣｕおよびＡｌを添加している請求項２乃至請求項４のいずれか１項に記載の発光ダイオード。
【請求項６】
前記蛍光体は、主材料となる（Ｂａ・Ｍｇ）Ａｌ10Ｏ17にＥｕおよびＭｎを添加している請求項２乃至請求項４のいずれか１項に記載の発光ダイオード。
【請求項７】
前記第１のＬＥＤチップの外面は、前記蛍光体を混合した透明樹脂により覆われている請求項１乃至請求項６のいずれか１項に記載の発光ダイオード。
【請求項８】
請求項１乃至請求項７のいずれか１項に記載の発光ダイオードを光源とし、前記発光ダイオードを導光板の側端面に対向して配置し、前記発光ダイオードからの光を前記導光板で面状に拡げて出光することを特徴とする照明装置。
【請求項９】
請求項８に記載の照明装置に対して液晶パネルを積層配置していることを特徴とする液晶表示装置。
【請求項１０】
請求項１乃至請求項７のいずれか１項に記載の発光ダイオードを駆動する方法であって、
前記第１のＬＥＤチップと前記第２のＬＥＤチップとには１つの電力源から並列回路で給電を行っていることを特徴とする発光ダイオードの駆動方法。
【請求項１１】
請求項１乃至請求項７のいずれか１項に記載の発光ダイオードを駆動する方法であって、
前記第１のＬＥＤチップへの給電回路と、前記第２のＬＥＤチップへの給電回路とを独立して設け、各ＬＥＤチップへの給電量をそれぞれ独立制御していることを特徴とする発光ダイオードの駆動方法。
【発明の詳細な説明】
【技術分野】
【０００１】
本発明は、発光ダイオード、照明装置、液晶表示装置および発光ダイオードの駆動方法に関し、詳しくは、ＲＧＢの３原色をそれぞれ発光することで白色光を再現できるようにするものである。
【背景技術】
【０００２】
半導体発光素子である発光ダイオード（ＬＥＤ）は、各種の照明装置や表示装置の光源として使用されており、特に、液晶表示装置の照明装置であるバックライトに用いられている光源には、発光効率が高い、消費電力が小さい、耐久性が高い等の特長を有する白色ＬＥＤが多用されている。
【０００３】
現在、実用化されている白色ＬＥＤの構造には、大きく分けて以下の２つの種類が存在する。
第１の構造は、特許第２９２７２７９号公報や特許第３２８２１７６号公報等に開示されており、例えば図１１に示すように、パッケージ内において、窒化ガリウム系の化合物半導体からなる青色ＬＥＤチップ１に対してＹＡＧ蛍光体３が含有されたモールド部材２を塗布しており、青色ＬＥＤチップ１の主波長の一部を利用してＹＡＧ蛍光体３を黄色に発光させ、この黄色光と青色光との合成により擬似白色を取り出して白色ＬＥＤを実現している。本構造の白色ＬＥＤの場合、蛍光体３を利用することで駆動させる発光素子を青色ＬＥＤチップ１の１つだけとしているので発光効率が高いという特徴を有する。
【０００４】
第２の構造は、特開平９−１６７８６１号公報、特許第３３９９２６６号公報、特許第３０４０９６７号公報等に開示されており、例えば図１２に示すように、パッケージ内において、窒化ガリウム系の化合物半導体からなる青色ＬＥＤチップ４と、緑色ＬＥＤチップ５と、ガリウム、アルミニウム、砒素系等の半導体からなる赤色ＬＥＤチップ６とを配置し、これら３つのＬＥＤチップ４〜６から発光される青色光、緑色光および赤色光のＲＧＢ３原色の合成により白色光を表現して白色ＬＥＤを実現している。また、同一電源より電力が供給される場合には、図１５に示すように、各ＬＥＤチップ４〜６に所定の値の抵抗７〜９をそれぞれ接続し、各ＬＥＤチップ４〜６に流れる電流量を制御する構造が一般に用いられる。本構造の白色ＬＥＤの場合は、ＲＧＢそれぞれに対応した各ＬＥＤチップ４〜６を独立駆動しているので、色再現範囲に優れているという特徴を有する。
【０００５】
しかしながら、図１１に示した青色ＬＥＤチップ１とＹＡＤ蛍光体３（黄色）を発光させた擬似白色ＬＥＤの場合、図１３に示すようなスペクトル分布を示し、青色光と黄色光との２色のみによって色を表現しているため、ＮＴＳＣ比で表現される色再現範囲が狭くなる。このため、本構造のＬＥＤを表示装置の光源として用いた場合には、忠実な色の表現が出来ないという問題を有していた。
【０００６】
また、図１２に示したＲＧＢ３個のＬＥＤチップ４〜６をそれぞれ発光させて白色光を取り出す白色ＬＥＤの場合、図１４に示すような発光波長が得られ色再現範囲には優れているが、ＲＧＢ３色を独立して駆動するための駆動回路が複雑になり、白色点（ホワイトバランス）の制御が複雑となる問題を有している。さらには、ＲＧＢの３色全てについてＬＥＤチップ４〜６を用いているため、上述した図１１の擬似白色ＬＥＤに比べて消費電力が増大する問題がある。また、青色ＬＥＤチップ４と緑色ＬＥＤチップ５はコストが高く、前記の擬似白色ＬＥＤに比べて２倍程度もコスト高になるという問題もある。
【特許文献１】特許第２９２７２７９号公報
【特許文献２】特許第３２８２１７６号公報
【特許文献３】特開平９−１６７８６１号公報
【特許文献４】特許第３３９９２６６号公報
【特許文献５】特許第３０４０９６７号公報
【発明の開示】
【発明が解決しようとする課題】
【０００７】
本発明は、上記問題に鑑みてなされたもので、色再現範囲に優れていると共に消費電力も抑制され、かつ、色バランスの制御が容易な発光ダイオードを提供することを課題としている。
【課題を解決するための手段】
【０００８】
上記課題を解決するため、本発明は、第１の主波長を有する光を発光する第１のＬＥＤチップと、前記第１のＬＥＤチップからの光の少なくとも一部を吸収し第２の主波長を有する光に変換して発光する蛍光体と、第３の主波長を有する光を発光する第２のＬＥＤチップとを備え、
前記第１のＬＥＤチップからの光と、前記蛍光体からの光と、前記第２のＬＥＤチップからの光との３種の光を混色させて発光することを特徴とする発光ダイオードを提供している。
【０００９】
前記構成とすると、３種類の主波長を有する３色の光を混色発光させているので、従来の１つのＬＥＤチップと１つの蛍光体により２色混合させた発光ダイオード（図１１）に比べて、色再現範囲に優れるというメリットを有する。また、蛍光体のようにＬＥＤチップからの光により従属的に励起される発光源とは別に、発光出力を独立に可変できるＬＥＤチップを２種設けているので、図１１の従来例に比べて混色光の色バランスの調節が行い易くなる利点もある。
さらに、混色発光させる３色の光の発光源のうち、２色の光に関してはＬＥＤチップを用いているが、１色の光は蛍光体で励起される光を用いているので、図１２の従来例のような３つのＬＥＤチップを用いた発光ダイオードに比べて、制御対象となるＬＥＤチップが２つで済み、安価で且つ各ＬＥＤチップへの給電制御が容易になると共に、消費電力も抑制することができる。
【００１０】
前記第１のＬＥＤチップは青色ＬＥＤチップとし、前記蛍光体は青色光を吸収して緑色に発光するものとし、前記第２のＬＥＤチップは赤色ＬＥＤチップとしていると好ましい。
【００１１】
蛍光体は吸収する光の発光波長よりも長波長側で励起されて発光するが、前記構成のようにエネルギーの高い青色光により蛍光体を緑色に励起発光させるようにすることで発光効率が向上し、輝度アップおよび消費電力の低減を図ることができる。また、赤色の発光源には第２のＬＥＤチップを用意して全体としてＲＧＢ三原色を設けているので、３色混合により色再現に優れた白色ＬＥＤを提供することができる。
【００１２】
具体的には、前記第１の主波長は４００ｎｍ〜４８０ｎｍの範囲内で、前記第２の主波長は５２０ｎｍ〜５６０ｎｍの範囲内で、前記第３の主波長は６００ｎｍ〜７００ｎｍの範囲内としていることで、色再現範囲の広い混色発光を行うことができる。
【００１３】
前記蛍光体から発光する光は、前記第２の主波長に対して発光波長の半値幅が±４０ｎｍの範囲内としている。
【００１４】
前記構成とすると、第２の主波長の強度ピーク値が低下せずに色再現範囲の広い発光ダイオードを提供することができる。
【００１５】
前記蛍光体は、主材料となるＺｎＳにＣｕおよびＡｌを微量添加した材料としていると好適であり、
あるいは、前記蛍光体は、主材料となる（Ｂａ・Ｍｇ）Ａｌ10Ｏ17にＥｕおよびＭｎを微量添加した材料としても好ましい。
【００１６】
即ち、蛍光体を前記のような組成とすることで、第１のＬＥＤチップからの青色光の一部を吸収して効率良く緑色に発光させることができる。
【００１７】
前記第１のＬＥＤチップの外面は、前記蛍光体を混合した透明樹脂により覆われている。
【００１８】
前記構成とすると、第１のＬＥＤチップを樹脂モールドして保護できると共に、第１のＬＥＤチップからの光を効率良く蛍光体に照射させて蛍光させることができる。
【００１９】
また本発明は、前記発光ダイオードを光源とし、前記発光ダイオードを導光板の側端面に対向して配置し、前記発光ダイオードからの光を前記導光板で面状に拡げて出光することを特徴とする照明装置を提供している。
【００２０】
前記構成とすると、色再現範囲に優れて色バランスの調整も行い易く、かつ消費電力も低減された照明装置を実現できる。
【００２１】
また本発明は、前記照明装置に対して液晶パネルを積層配置していることを特徴とする液晶表示装置を提供している。
【００２２】
即ち、液晶パネルを照射するために前記照明装置を用いているので、色再現範囲が広く、色の表現に優れ、表示品位を高品質に保つことのできる液晶表示装置を提供することができる。
【００２３】
また本発明は、前記発光ダイオードを駆動する方法であって、
前記第１のＬＥＤチップと前記第２のＬＥＤチップとには１つの電力源から並列回路で給電を行っていることを特徴とする発光ダイオードの駆動方法を提供している。
【００２４】
前記方法とすると、第１のＬＥＤチップからの光の強度と、それを受光した蛍光体からの光の強度とがリニアに変化する場合、即ち、第１のＬＥＤチップの光強度が増減すれば蛍光体からの光強度も比例的に増減する場合には、第２のＬＥＤチップへの給電を第１のＬＥＤチップとの間で並列的に行うだけで、それぞれ３種の光の強度バランスを保ちながらも簡素かつ安価な構造で発光ダイオードの輝度調節を行うことができる。
具体的には、同一電源から電力が供給される場合には、２つのＬＥＤに抵抗を接続し、第１のＬＥＤチップと蛍光体のスペクトル強度に合わせて、第２のＬＥＤチップに流れる電流値を調節すればよく、電流を制限するための抵抗や、ダイオードを低減することができ、回路を簡素化することができる。
【００２５】
また本発明は、前記発光ダイオードを駆動する方法であって、
前記第１のＬＥＤチップへの給電回路と、前記第２のＬＥＤチップへの給電回路とを独立して設け、各ＬＥＤチップへの給電量をそれぞれ独立制御していることを特徴とする発光ダイオードの駆動方法を提供している。
【００２６】
前記構成とすると、第１のＬＥＤチップからの光の強度と、それを受光した蛍光体からの光の強度とがリニアに変化しない場合等でも、第１のＬＥＤチップの発光強度や蛍光体の発光強度に対応して、第２のＬＥＤチップの発光強度が最適となるように独立して給電量を調節できるため、高精度な色表現を確保しながら発光ダイオードの輝度調節を行うことができる。
【発明の効果】
【００２７】
以上の説明より明らかなように、本発明によれば、従来例（図１１）の２色混合させた発光ダイオードに比べ、３色の光を混色発光させているので色再現範囲に優れる。また、発光出力を独立に可変できるＬＥＤチップを２種設けているので、混色光の色バランスの調節が行い易い。さらには、別の従来例（図１２）のような３つのＬＥＤチップを用いた発光ダイオードに比べ、３色光の発光源のうち１色については蛍光体を用いているので、制御対象となるＬＥＤチップが２つで済み、安価で且つ各ＬＥＤチップへの給電制御が容易になると共に、消費電力も抑制できる。
【発明を実施するための最良の形態】
【００２８】
本発明の実施形態を図面を参照して説明する。
図１および図２は第１実施形態の発光ダイオード１０の概略図である。
発光ダイオード１０は、パッケージ１１の凹部１１ａ内にリードフレームからなる２つのアノード電極１２、１３が露出され、窒化ガリウム系の化合物半導体からなる青色ＬＥＤチップ１４と、ガリウム系の化合物半導体からなる赤色ＬＥＤチップ１２とが、各アノード電極１２、１３上にボンディングされて電気的に接続されている。また、パッケージ１１の凹部１１ａには１つのカソード電極１６が露出され、青色ＬＥＤチップ１２と赤色ＬＥＤチップ１３とは、それぞれ金線１７、１８を介して共通のカソード電極１６にボンディングして電気的な接続を図っている。
なお、パッケージ１１内に形成されるＬＥＤチップ１４、１５の電極１２、１３の構造は、これに限定される訳ではなく、青色ＬＥＤチップ１４と赤色ＬＥＤチップ１５とをそれぞれ個別に駆動できる配線構造であればよい。
【００２９】
パッケージ１１内には、粉末状の蛍光体２０を分散させた透明樹脂１９を青色ＬＥＤチップ１４よび赤色ＬＥＤチップ１５の上に塗布することで凹部１１ａが透明樹脂１９で満たされて白色発光ダイオード１０が形成される。蛍光体２０の材料としては、ＺｎＳを主材料とし、ＣｕとＡｌを微量添加することで、青色ＬＥＤチップ１４から発光する光の主波長の一部を緑色に変換できる無機系の材料を用いている。透明樹脂１９としては、耐熱性に優れていると共に硬化収縮率が小さく（寸法安定性が高く）接着力に優れたエポキシ樹脂を用いている。
【００３０】
図３は、発光ダイオード１０を白色発光させた時の発光スペクトル特性を示す。なお、測定はトプコン社製ＳＲIIIを用いて行っている。
蛍光体２０の透明樹脂１９への添加量は、青色ＬＥＤチップ１４と緑色の蛍光体２０との各主波長の強度比が、青：緑＝１：０．６となるように調整している。また、赤色ＬＥＤチップ１５の主波長は、青色ＬＥＤチップ１４の主波長に対して強度比が１．１５倍となるように赤色ＬＥＤチップ１４への給電量を調節し、三色混合により白色発光されるように調整している。なお、蛍光体２０からの緑色光の主波長に対する発光波長の半値幅は±４０ｎｍの範囲内で主波長ピーク値が低くなり過ぎないようになっている。
【００３１】
また、図４は青色ＬＥＤチップ１４、蛍光体２０および赤色ＬＥＤチップ１５の夫々の発光スペクトル特性を示し、青色ＬＥＤチップ１４からの光の主波長は約４６５ｎｍ、緑色の蛍光体２０からの光の主波長は約５３５ｎｍ、赤色ＬＥＤチップ１５からの光の主波長は約６２５ｎｍとなるように設定し、白色発光時の色温度が６５００Ｋとなるように調整している。
【００３２】
発光ダイオードの明るさを変化させる場合、従来のＲＧＢ３原色のＬＥＤを用いた発光ダイオード（図１２）では、各ＬＥＤチップ４〜６からの発光強度比を独立に調整する必要があったが、本実施形態の発光ダイオード１０では、青色ＬＥＤチップ１４の発光出力に追従して緑色の蛍光体２０の発光出力が、ほぼリニアに変化するため、これに合わせて、赤色ＬＥＤチップ１５のみを独立して発光出力を調節することで白色光が得られ、駆動方法を簡素化することができ、約１／２倍のコストで白色発光ダイオードを提供できる。
また、青色ＬＥＤチップ１４、蛍光体２０および赤色ＬＥＤチップ１５で白色の発光ダイオード１０を形成することで、従来の青色ＬＥＤチップと黄色蛍光体とを用いた擬似白色の発光ダイオード（図１１）に対しては、同等のコストでありながらも色再現範囲に優れ、かつ、独立して発光出力を制御できるＬＥＤ１４、１５を２つ使用しているので色バランスの調節が行い易いというメリットを有する。
【００３３】
なお、本実施形態では、白色光を得るためのＲＧＢ各主波長の強度比を１．１５：０．６０：１．００としたが、この値に限定される訳ではなく、使用する白色時の色温度により強度比を調整することが好ましい。例えば、色温度が７５００Ｋで使用する場合には、ＲＧＢの強度比は、１．００：０．５０：１．００となるように調整すればよいし、色温度が８５００Ｋで使用する場合には、０．８８：０．４６：１．００となるように調整すればよい。つまり、白色時の色温度を上げた状態で使用する場合には、緑色の蛍光体２０の添加量を予め調整し、これに合わせて赤色ＬＥＤチップ１５の発光量を調整することが好ましい。
【００３４】
また、各ＲＧＢの発光の主波長が変化した場合、例えば、緑色の蛍光体２０の材料として（Ｂａ・Ｍｇ）Ａｌ10Ｏ17にＥｕとＭｎを微量添加した材料を用いた場合には、緑色の主波長は、ＥｕとＭｎの添加量に応じて５４０ｎｍから５６０ｎｍまで変化するので、使用する色温度に応じてＲＧＢの強度比を調整すれば良い。
以上の説明のように、本実施形態の発光ダイオード１０は、使用する色温度と発光の主波長に応じてスペクトル強度を調整する必要があるが、強度比の調整は、予め決められた緑色の発光を示す蛍光体２０の添加量と、赤色ＬＥＤチップ１５の発光強度の調整のみで容易に白色光を得ることができる。
【００３５】
次に、発光ダイオード１０の駆動方法について説明する。
図５に示すように、青色ＬＥＤチップ１４と赤色ＬＥＤチップ１５には、１つの電源から並列回路で抵抗３０、３１を介して電力を供給している。
青色ＬＥＤチップ１４と蛍光体２０のスペクトル強度に合わせて、赤色ＬＥＤチップ１５に接続される抵抗３１を調整して電流値を調節することで赤色の発光強度を調節し、発光ダイオード１０全体として白色光となるようにしている。
具体的には、外部電源として５Ｖ電源を用い、青色ＬＥＤチップ１４へ流れる電流が１８ｍＡになるように８０Ωの抵抗３０を接続すると共に、赤色ＬＥＤチップ１５へ流れる電流が１４ｍＡになるように２００Ωの抵抗３１を接続し、各ＬＥＤチップ１４、１５を並列接続している。
【００３６】
また図６は変形例を示し、青色ＬＥＤチップ１４と赤色ＬＥＤチップ１５への給電量を独立して調節する分配給電制御部３２を電源との間に介在させて、青色ＬＥＤチップ１４の近傍に配置された受光センサ３３を分配給電制御部３２に接続している。
つまり、青色ＬＥＤチップ１４からの発光強度を受光センサ３３で検知して分配給電制御部３３にフィードバックすることで、所要の白色光を得るために赤色ＬＥＤチップ１５の発光強度が最適値となるように、分配給電制御部３２で各ＬＥＤチップ１４、１５への給電量を独立制御している。
【００３７】
次に、前記構成の発光ダイオード１０を光源とする照明装置４１を用いた液晶表示装置４０について説明する。
図７に示すように、液晶表示装置４０は液晶パネル４２の背面側に照明装置４１を配置している。
液晶パネル４２は、ＴＦＴ素子が形成されたアクティブマトリクス基板４８と、カラーフィルターが形成されたカラーフィルタ基板４９とで液晶層（図示せず）を挟持していると共に、各基板４８、４９の対向面には液晶を駆動するための電極（図示せず）が形成されている。各基板４８、４９の外面側にはそれぞれ偏光板５０、５１が積層されている。なお、カラーフィルターには凸版印刷社製のＥＢＵ１８を用いている。
【００３８】
照明装置４１は、アクリル樹脂にシボ加工が施された導光板４３の側端面に発光ダイオード１０が配置され、導光板４３の出射面と対向する下面側には反射シート４４が配置され、出射面となる上面側には、拡散シート４５、レンズシート４６、４７が配置されている。本実施形態では、レンズシート４６、４７として住友スリーエム社製のＢＥＦシートを用いている。なお、照明装置４１として、更に、明るさが必要な場合には、住友スリーエム社製のＤ−ＢＥＦシート等の偏光変換シートを追加して積層配置しても良い。また、照明装置４１の構成は、本実施形態に限定される訳ではなく、レンズシート４６、４７として三菱レーヨン社製のＭ１６８を使用してもよい。さらに、導光板４３を使用せずに発光ダイオード１０を拡散シート４５の真下に配置する直下型の照明装置にも適用可能である。
【００３９】
また図８は、本実施形態の発光ダイオード１０を用いた液晶表示装置４０の色再現範囲を示し、図中破線は、従来の擬似白色ＬＥＤ（青色ＬＥＤチップとＹＡＧ蛍光体）の色再現範囲を示している。
従来の擬似白色ＬＥＤの色再現範囲がＮＴＳＣ比６３％であったのに対して、本発明の発光ダイオード１０はＮＴＳＣ比８６％となり、液晶表示装置４０で表現できる色の範囲を大幅に改善できている。
また、本実施例にて緑蛍光体の主波長を５４０ｎｍから５６０ｎｍまで変化させた、他の白色ＬＥＤにおいても、その色再現範囲は、ＮＴＳＣ比８４％から６５％までをカバーでき、従来の白色ＬＥＤより色再現範囲を拡げることができた。
【００４０】
次に、発光ダイオードの構造のバリエーションについて図９、１０に示す。
図９は第２実施形態の発光ダイオード６０を示している。
第１実施形態の発光ダイオード１０との相違点は、蛍光体２０を分散させた透明樹脂１９は青色ＬＥＤチップ１４側のみを覆い、赤色ＬＥＤチップ１５側には蛍光体２０を含有しないエポキシ樹脂等の透明樹脂６１で覆っている点である。なお、他の構成は第１実施形態と同様であるため同一符号を付して説明を省略する。本構成とすれば、赤色ＬＥＤチップ１５から発光するの赤色光の利用効率を向上させることができる。
【００４１】
図１０は第３実施形態の発光ダイオード６０を示している。
第１実施形態の発光ダイオード１０との相違点は、蛍光体２０を分散させた透明樹脂１９は青色ＬＥＤチップ１４側のみを覆い、赤色ＬＥＤチップ１５側には透明樹脂を塗布せずに空間Ｓを設けている点である。なお、他の構成は第１実施形態と同様であるため同一符号を付して説明を省略する。
【図面の簡単な説明】
【００４２】
【図１】本発明の第１実施形態の発光ダイオードの断面図である。
【図２】発光ダイオードの概略上面図である。
【図３】発光ダイオードの発光スペクトル特性を表すグラフである。
【図４】青色ＬＥＤチップ、蛍光体および赤色ＬＥＤチップの発光スペクトル特性を表すグラフである。
【図５】発光ダイオードの駆動方式を示す模式図である。
【図６】変形例の発光ダイオードの駆動方式を示す模式図である。
【図７】液晶表示装置の概略断面図である。
【図８】液晶表示装置の色再現範囲を示す色度グラフである。
【図９】第２実施形態の発光ダイオードの断面図である。
【図１０】第３実施形態の発光ダイオードの断面図である。
【図１１】従来例の発光ダイオードの断面図である。
【図１２】別の従来例の発光ダイオードの概略図である。
【図１３】従来例の発光ダイオードの発光スペクトル特性を表すグラフである。
【図１４】別の従来例の発光ダイオードの発光スペクトル特性を表すグラフである。
【図１５】別の従来例の発光ダイオードの駆動方式を示す模式図である。
【符号の説明】
【００４３】
１０    発光ダイオード
１１    パッケージ
１１ａ  凹部
１２、１３    アノード電極
１４    青色ＬＥＤチップ
１５    赤色ＬＥＤチップ
１６    カソード電極
１７、１８    金線
１９    透明樹脂
２０    蛍光体
３０、３１    抵抗
３２    分配給電制御部
３３    受光センサ
４０    液晶表示装置
４１    照明装置
４２    液晶パネル
４３    導光板
４４    反射シート
４５    拡散シート
４６、４７    レンズシート
４８    アクティブマトリクス基板
４９    カラーフィルタ基板
５０、５１    偏光板
【図１】
2005317873.tif 000003
【図２】
2005317873.tif 000004
【図３】
2005317873.tif 000005
【図４】
2005317873.tif 000006
【図５】
2005317873.tif 000007
【図６】
2005317873.tif 000008
【図７】
2005317873.tif 000009
【図８】
2005317873.tif 000010
【図９】
2005317873.tif 000011
【図１０】
2005317873.tif 000012
【図１１】
2005317873.tif 000013
【図１２】
2005317873.tif 000014
【図１３】
2005317873.tif 000015
【図１４】
2005317873.tif 000016
【図１５】
2005317873.tif 000017